【手続補正書】
【提出日】平成18年9月14日(2006.9.14)
【手続補正１】
【補正対象書類名】明細書
【補正対象項目名】全文
【補正方法】変更
【補正の内容】
【書類名】  明細書
【発明の名称】  屋内電気配線用ジョイントボックス
【特許請求の範囲】
【請求項１】 多数の電線を集めて夫々所定の結線をしてなる分岐結線束（Ａ）の先端に位置するコネクタ（６）から、夫々の被覆電線（５）を含めて夫々の電線ケーブル（７）の付け根の一部に到る全体をほぼ真っ直ぐにした状態で内部に収容可能な長さに形成してある屋内電気配線用ジョイントボックスであって、
ジョイントボックス内部の反口開部側の奥部における周壁内面には、上記分岐結線束（Ａ）の先端に位置する多数のコネクタ（６）を収容できる大きさの結線部分収納室（２）を残す位置に、複数の弁体（３）を周設し、それら複数の弁体（３）の周設状態は、夫々の付根（10）の側が上記周壁内面に一体的に取り付けられる状態で、かつ、夫々の自由端が中央部にコネクタの案内孔（12）を残す状態で逆放射線状に並設され、しかも上記のコネクタの案内孔（12）の内径の大きさは、上記多数のコネクタ（６）からなる集合部の外径よりも小さく形成し、しかも上記の複数の弁体（３）の夫々は、上記多数のコネクタ（６）からなる集合部が通過する場合には押し開かれることを可能に弾力性を備えさせてあり、その上、結線部分収納室（２）に収納されたコネクタの集合部が口開部（13）方向に引き抜く力を受けた場合は、コネクタの付け根部分または各被覆電線５の間の股部などに位置してコネクタ（６）の抜け止めをするように構成してあり、  さらに、上記複数の弁体（３）が周設されている位置から開口部（13）の周縁の間は、上記先端のコネクタ（６）から、被覆電線（５）を含めて電線ケーブル（７）の付け根の一部に到る全体をほぼ真っ直ぐにした状態で内部に収容した分岐結線束（Ａ）の内、上記複数の弁体（３）が周設されている位置よりも開口部（13）側に位置する被覆電線（５）と、電線ケーブル７の付け根の一部を取り囲むことができる長さのスカート状に形成してあることを特徴とする屋内電気配線用ジョイントボックス。
【発明の詳細な説明】
【０００１】
【発明の属する技術分野】
本願は、屋内電気配線工事における分岐結線束を絶縁カバーするジョイントボックス（以下ボックスという）に関するものである。
【０００２】
【従来の技術】
従来の、アウトレットボックス、プールボックス、木製の造営材に用いる透明ジョイントボックスなどは、多数の電線を集めて夫々所定の結線をしてなる分岐結線束における結線数の多少にかかわらず結線部分を握り、むりやり折り曲げ圧縮し押し込むことによりコネクタ等の結線機能が犯され導電機能が低下するとともに、ジヨイントボックスを固定し密封状態にすることにより外部からの透視不可能なもの、電熱がこもるもの、造営材にボックス自体を固定する作業に手間取るもの、自由方向からの結線困難であるものなど、それぞれに多くの問題を抱えていた。
【０００３】
【発明が解決しようとする課題】
上述の従来製品の問題点を解決する課題として、ボックスの奥には複数の弁体を一体成型し、分岐結線後は結線部分に触れず真っ直のままの状態で収納し得るよう弁体の位置から口開部に到る間を長く成型し、かぶせるだけで分岐結線部分が結線部分収納室に収納され、いわゆるワンタッチでカバー作業が完了するとともに、一旦収納した結線束からボックスを抜き出す場合は、比較的強く引けば弁体から離脱解放されると弁体は殆ど復元し、再使用の繰返しを可能とする。
【０００４】
【課題を解決するための手段】
本発明における屋内電気配線用ジョイントボックスは、多数の電線を集めて夫々所定の結線をしてなる分岐結線束（Ａ）の先端に位置するコネクタ（６）から、夫々の被覆電線（５）を含めて夫々の電線ケーブル（７）の付け根の一部に到る全体をほぼ真っ直ぐにした状態で内部に収容可能な長さに形成してある屋内電気配線用ジョイントボックスであって、
ジョイントボックス内部の反口開部側の奥部における周壁内面には、上記分岐結線束（Ａ）の先端に位置する多数のコネクタ（６）を収容できる大きさの結線部分収納室（２）を残す位置に、複数の弁体（３）を周設し、それら複数の弁体（３）の周設状態は、夫々の付根（10）の側が上記周壁内面に一体的に取り付けられる状態で、かつ、夫々の自由端が中央部にコネクタの案内孔（12）を残す状態で逆放射線状に並設され、しかも上記のコネクタの案内孔（12）の内径の大きさは、上記多数のコネクタ（６）からなる集合部の外径よりも小さく形成し、しかも上記の複数の弁体（３）の夫々は、上記多数のコネクタ（６）からなる集合部が通過する場合には押し開かれることを可能に弾力性を備えさせてあり、その上、結線部分収納室（２）に収納されたコネクタの集合部が口開部（13）方向に引き抜く力を受けた場合は、コネクタの付け根部分または各被覆電線５の間の股部などに位置してコネクタ（６）の抜け止めをするように構成してあり、  さらに、上記複数の弁体（３）が周設されている位置から開口部（13）の周縁の間は、上記先端のコネクタ（６）から、被覆電線（５）を含めて電線ケーブル（７）の付け根の一部に到る全体をほぼ真っ直ぐにした状態で内部に収容した分岐結線束（Ａ）の内、上記複数の弁体（３）が周設されている位置よりも開口部（13）側に位置する被覆電線（５）と、電線ケーブル７の付け根の一部を取り囲むことができる長さのスカート状に形成してある。
【０００５】
【発明の実施の形態】
本願は、屋内電気配線工事における分岐結線束をなすコネクタ等から被覆電線の付け根に当たる電線ケーブルの一部分に及ぶ全体をほぼ真っ直ぐのままで収納し得る長さのボックスとなし、その奥部内周には複数の弁体をボックスと一体成型し、それら各先端にはカギ部を設けて抜け止め機能を補強し、口開部から分岐結線束にかぶせると、弁体を押し開きワンタッチで収納作業完了するものである。
さらに付言すれば、弁体と口開部に到る長さを、ほぼ真っ直のままの分岐結線束の付け根に当たる電線ケーブルの一部分に到り収納できる長さに形成し、その奥部内周に複数の弁体を設けて分岐結線束の着脱を自在となし、複数の被覆電線及びコネクタ等に結線後は手を触れず、真っ直のままの分岐結線束にかぶせるだけで作業完了するもので、一旦かぶせた後抜き取る場合は、少し強く引けば離脱すると同じに弁体はほぼ復元し、再使用を繰り返すことを可能としたものである。
分岐結線束が真っ直ぐであるため多数の分岐結線を収納できるとともに、ボックスを透明にして外部の何れからでも目視できるようにたものである。
【０００６】
一旦かぶせたボックスを抜き取る場合は、ボックスを握って少し強く引けば、弁体及びその先端のカギ部が外れて押し開かれ、いわゆるワンタッチで抜けた瞬間、弁体は殆ど復元し再使用を繰り返すことができる。
【０００７】
以下、本願の実施例を示す図面について説明する。矢印Ａは、多数の電線を集めて夫々所定の結線をしてなる分岐結線束で、ほぼ真っ直ぐに形成してある。
１はボックスであり、全体が透明又は半透明をなし収納した分岐結線束Ａが各方向から目視でき、図１に示されるように分岐結線束Ａの先端のコネクタ６からその電線ケーブル７の付け根の一部に到る全体が収容可能な長さに成形されている。
２は、図１に示されているようにボックス１の全長の内、深部に形成された、即ち、弁体３の付根から切断突起８を備える反口開部１３の底壁部材の間に形成された結線部分収納室であり、分岐結線束Ａの結線部分６を収容する室。
３は弁体であり、ボックス１の奥部内周面に、複数の弁体３を夫々自由端が中央部に向け逆放射線状に並列する状態（図２参照）で一体成型し、分岐結線束Ａの挿入と離脱を自在になしたもの。４はカギ部であり、弁体３の先端に備えさせたもので、ボックス１の奥部に向けてＬ形になし、結線部分収納室２に収納した分岐結線束Ａの結線部分であるコネクタ６等の付け根部分及び各被覆電線５の間の股部などに位置して掛け止してコネクタ６の抜け止めをさせるものである。コネクタ６を一旦挿入した後抜き取る場合は、少し強力に引っ張れば離脱する。
【０００８】
上記分岐結線束Ａの先端のコネクタ６からその電線ケーブル７の付け根の一部に到る全体が収容可能な長さに成型してある（図１参照）ボックス１の内、図１に示されるように結線部分の収納室２を除く部分、即ち、弁体３の付根１０の部分から口開部１３の開口縁の間にある壁部材は、被覆電線５の一部と電線ケーブル７の一部とを図示のように取り囲むように形成されたスカート状壁部材を示す。
被覆電線５は、分岐結線作業が容易であるよう電線ケーブルを長く剥離し、しかも折ったり曲げたりせず、ほぼ真っ直ぐのままボックス１内に収納するため多数の結線は一括して収納できる。その為コネクタ６などは結線後はそれに手を触れることなく収納できるため、その部分に圧力などが加わらず、接続導電機能が低下しない。
８は底壁部材に備えさせた切断突起であり、ボックス１を逆さに用いた場合に限りこの部分を切除して排水孔９を口開し、口開部１３から入った汚水などを排水して分岐結線束Ａを守る。
【０００９】
１０は、ボックス内周壁面に対する弁体３の付根に構成した連結バネ部であり、一片の弁体３の付け根中央部にバネ性調節窓１１を設けることで両脇に成型されたもので、ボックス１と一体に連結成型して適当な弾力性を持たせ、必要なバネ作用により弁体３が分岐結線束Ａの挿入を容易にし、少し強い力で引けば抜ける程度のバネ性を持たせる。
１２はコネクタ６の案内孔であり、弁体３の先端で囲って円形の空間をなしている。分岐結線束Ａにおける複数のコネクタ６からなる集合部（図１に表れているような集合状態）がボックス１の中央部を通って案内孔１２に至ると、上記の案内孔１２の内径は、図１、図２に示されているように上記コネクタ６の集合部の外径よりも小さく形成されているから、コネクタ６の集合部は図１に示されるように弁体３を容易に押し開き、結線部分収納室２に収容される。１３は口開部であり、ボックス１の入り口に当たる。
【００１０】
本願のボックス１は透明であるが、半透明、不透明となしても、ほぼ真っ直に形成した分岐結線束Ａをワンタッチで着脱する作用効果に変化は全く見られない。
【００１１】
必要に応じて、ボックス１の口開部１３の外周又は任意の個所に、耳状の凸板部を設け、それに止め孔を設ければ、ビス等をその孔に通して造営材に固定することができる。
【００１２】ボックス１の平面から底面に通ずる全体形状は本願のような円形に限らず、４角形、楕円形等、必要に応じた様々な形状になしても本願の効果に変化はない。
【００１３】
【発明の効果】
本発明のボックス１によれば、収容する分岐結線束Ａの電線ケーブル７の付け根から結線部分６に到るまでが、図１に示すようにほぼ真っ直ぐのまま収納可能としたため、分岐結線束Ａの保護に当り、従来のようにコネクタなど結線部分を握って被覆電線を折り曲げる必要がなくなり結線機能が低下することなく電気的安全が保たれる効果がある。
【００１４】
また本発明によれば、上述のように、分岐結線束Ａが真っ直の状態のまま挿入できる為、ボックス１が比較的細く形成（小嵩に形成）されていても多数の分岐結線束Ａが収納できる効果もある。
【００１５】
更に分岐結線束Ａの電線ケーブル７の付け根から結線部分６に到るまでが、図１に示すようにほぼ真っ直ぐのままであっても、分岐結線束Ａにボックス１をワンタッチでかぶせるだけで、弁体３は開いて案内孔１２の開口を大きくして、コネクタ６の通過を許し、その後弁体３は閉じてコネクタ６の後退をを阻止することができる効果があり、その上一旦かぶせた後に抜き取る場合も、同じくワンタッチで抜き取ることができる。
【００１６】
分岐結線束Ａを一旦かぶせた直後、弁体３は殆ど図１の状態に復元する為、結線部分であるコネクタ６の付け根部分又は被覆電線５の間の股部などに位置してコネクタ６の抜止め効果がある。その上、分岐結線束Ａを抜いた後も弁体３は復元するから、再使用を繰り返すことができる経済効果もある。
【００１７】
【図面の簡単な説明】
【図１】分岐結線束Ａに半透明又は透明のボツクス１を逆さにかぶせた状態を示す正面図。
【図２】ボックス１の底面図。
【図３】ボック１の平面図。
【図４】ボックス１のＡ−Ａ切断端面図。
【００１８】
【符号の説明】
矢印Ａ 分岐結線束
１ ボックス
２ 結線部分収納室
３ 弁体
４ カギ部
５ 被覆電線
６ コネクタ
７ 電線ケーブル
８ 切断突起
９ 排水孔
１０ 連結バネ部
１１ バネ性調節窓
１２ コネクタの案内孔
１３ 口開部